(57)【要約】【課題】デッキ材の端面が湾曲、斜めに形成されていても、幕板を端面に沿って固定することができ、かつ、取り付け作業が容易な幕板固定具、幕板およびデッキ床を提供する。【解決手段】幕板固定具６は幕板５が取り付けられる幕板取付部材６ａと、デッキ材４に係止する係止部材６ｂとを備え、幕板取付部材６ａはデッキ材４の下面に当接する下面当接部６１と、デッキ材４の端面に当接する端面当接部６２とを有し、下面当接部６１と係止部材６ｂとが軸状の締結部材６７により締結可能となっている。端面当接部６２がデッキ材４の端面に当接するので、幕板取付部材６ａがデッキ材４に対して回転せず、取り付け作業が容易である。【選択図】図３
2014066009.tif 000002
【特許請求の範囲】
【請求項１】
デッキ床を構成するデッキ材の端面に幕板を固定する幕板固定具であって、
前記幕板が取り付けられる幕板取付部材と、
前記デッキ材に係止する係止部材と、を備え、
前記幕板取付部材は、
前記デッキ材の下面に当接する下面当接部と、
前記デッキ材の端面に当接する端面当接部と、を有し、
前記下面当接部と前記係止部材とが、軸状の締結部材により締結可能となっている
ことを特徴とする幕板固定具。
【請求項２】
前記係止部材は、隣り合う前記デッキ材の側面に形成された係止凹部に挿入可能な円板状の係止板を有する
ことを特徴とする請求項１記載の幕板固定具。
【請求項３】
前記係止部材は、前記係止板と前記下面当接部との間に配置されるスペーサを有する
ことを特徴とする請求項２記載の幕板固定具。
【請求項４】
デッキ床を構成するデッキ材の端面に固定される幕板であって、
前記デッキ材の端面と対向する面に、該デッキ材の端面との間に隙間を形成する凹部が形成されている
ことを特徴とする幕板。
【請求項５】
請求項１、２または３記載の幕板固定具により、請求項４記載の幕板がデッキ材の端面に固定されている
ことを特徴とするデッキ床。
【発明の詳細な説明】
【技術分野】
【０００１】
本発明は、幕板固定具、幕板およびデッキ床に関する。さらに詳しくは、複数本のデッキ材を並べて構成されるデッキ床において、デッキ材の端面に幕板を固定するための幕板固定具、幕板およびデッキ床に関する。
【背景技術】
【０００２】
ウッドデッキなどのデッキ床は、複数本のデッキ材を並べて構成され、デッキ材の端面には幕板が固定される。幕板をデッキ材の端面に固定するには、幕板固定具が用いられる。
近年では、種々の形状のデッキ床を施工するため、デッキ材の端面を湾曲状に切断したり、デッキ材の長手方向に対して斜めに切断することが行われる。このような要請に対して、デッキ材の端面を湾曲させた場合でも、幕板を固定できる幕板固定具が考案されている（例えば、特許文献１）。
【０００３】
特許文献１に記載の幕板固定具は、デッキ材の下面に配置され、デッキ材の中空部内に配置された取付部材を裏板として、デッキ材にネジ止めされるものである。この幕板固定具は、ネジを中心に回転自在であり、デッキ材の端面に合わせて回転させた後、ネジを締め付けて固定することができる。そのため、デッキ材の端面が湾曲していても、その角度に合わせて幕板固定具を固定することができる。
【０００４】
しかし、上記従来の幕板固定具は、その角度を調整することが困難であるという問題がある。具体的には、幕板固定具をデッキ材に固定するためにネジを締め付けると、幕板固定具も供回りしてしまうため、予め幕板固定具を適正な角度に調整しておいても、ネジの締め付けによりその角度がずれてしまう。そのため、ネジを締めつつ幕板固定具の角度を調整する必要があり、取り付け作業が煩雑である。
【先行技術文献】
【特許文献】
【０００５】
【特許文献１】特許第４６２２６９９号公報
【発明の概要】
【発明が解決しようとする課題】
【０００６】
本発明は上記事情に鑑み、デッキ材の端面が湾曲、斜めに形成されていても、幕板を端面に沿って固定することができ、かつ、取り付け作業が容易な幕板固定具、幕板およびデッキ床を提供することを目的とする。
【課題を解決するための手段】
【０００７】
第１発明の幕板固定具は、デッキ床を構成するデッキ材の端面に幕板を固定する幕板固定具であって、前記幕板が取り付けられる幕板取付部材と、前記デッキ材に係止する係止部材と、を備え、前記幕板取付部材は、前記デッキ材の下面に当接する下面当接部と、前記デッキ材の端面に当接する端面当接部と、を有し、前記下面当接部と前記係止部材とが、軸状の締結部材により締結可能となっていることを特徴とする。
第２発明の幕板固定具は、第１発明において、前記係止部材は、隣り合う前記デッキ材の側面に形成された係止凹部に挿入可能な円板状の係止板を有することを特徴とする。
第３発明の幕板固定具は、第２発明において、前記係止部材は、前記係止板と前記下面当接部との間に配置されるスペーサを有することを特徴とする。
第４発明の幕板は、デッキ床を構成するデッキ材の端面に固定される幕板であって、前記デッキ材の端面と対向する面に、該デッキ材の端面との間に隙間を形成する凹部が形成されていることを特徴とする。
第５発明のデッキ床は、第１、第２または第３発明の幕板固定具により、第４発明の幕板がデッキ材の端面に固定されていることを特徴とする。
【発明の効果】
【０００８】
第１発明によれば、端面当接部がデッキ材の端面に当接するので、幕板取付部材がデッキ材に対して回転せず、取り付け作業が容易である。また、下面当接部と係止部材とが軸状の締結部材により締結されるので、幕板取付部材をデッキ材に対して任意の角度で固定でき、幕板を端面に沿って固定することができる。
第２発明によれば、係止板が円板状であるので、幕板取付部材がデッキ材の長手方向に対して斜めに固定される場合でも、係止板がデッキ材や幕板取付部材と干渉することなく、デッキ材との接触面積を確保できる。
第３発明によれば、係止板と下面当接部との間にスペーサが配置されるので、締結部材の締結力により、幕板固定具やデッキ材が損傷することを防止できる。
第４発明によれば、幕板固定具がデッキ材の端面から突出していても、その突出部が幕板の凹部に収容されるので、幕板をデッキ板の端面に対して隙間なく固定することができる。
第５発明によれば、デッキ材の端面が湾曲、斜めに形成されていても、幕板を端面に沿って固定することができる。
【図面の簡単な説明】
【０００９】
【図１】本発明の第１実施形態に係るデッキ床の直交部における幕板固定具付近の部分破断拡大平面図である。
【図２】同デッキ床の直交部における幕板固定具付近の拡大正面図である。
【図３】図２におけるIII-III線矢視断面図である。
【図４】同デッキ床の傾斜部における幕板固定具付近の部分破断拡大平面図である。
【図５】同デッキ床の傾斜部における幕板固定具付近の拡大正面図である。
【図６】同デッキ床の部分破断斜視図である。
【図７】図６におけるVII-VII線矢視断面図である。
【図８】本発明の第２実施形態における幕板固定具の（ａ）正面図、（ｂ）側面図である。
【図９】本発明の第２実施形態に係るデッキ床の傾斜部における幕板固定具付近の拡大正面図である。
【発明を実施するための形態】
【００１０】
つぎに、本発明の実施形態を図面に基づき説明する。
（第１実施形態）
（デッキ床）
図６に示すように、本発明の第１実施形態に係るデッキ床Ａは、束石１の上に立設された複数本の束２と、それら束２の上端間に架け渡され、互いに平行に配置された複数本の大引３と、それら大引３の上に掛け渡され、互いに側面を対向させて敷き詰められた複数本のデッキ材４と、それらデッキ材４の周囲を囲むように固定された幕板５とから構成される。
【００１１】
本実施形態に係るデッキ床Ａは、デッキ材４の端面が、長手方向に対して垂直に切断された直交部ａと、長手方向に対して斜めに切断された傾斜部ｂと、複数本のデッキ材４の端面が徐々に角度を変えて切断され全体として湾曲状に形成された湾曲部ｃとを有している。これら、直交部ａ、傾斜部ｂ、湾曲部ｃのいずれにおいても、幕板固定具６により、幕板５がデッキ材４の端面に固定されている。
【００１２】
図７に示すように、デッキ材４は、長手方向に中空部を有する長尺の板材であり、例えば樹脂に木粉を加えた木樹脂で形成される。デッキ材４の長手方向に沿った両側面には、その下面側（図７における下側）に係止凹部４１が形成されている。この係止凹部４１の下面を構成する係止片４２の先端には、上面側（図７における上側）に突出した突条４３が形成されている。
【００１３】
デッキ材４は、デッキ材固定具４４により大引３に固定される。デッキ材固定具４４は、隣り合うデッキ材４の係止凹部４１、４１により形成される空間に挿入可能な金属製の板材であり、対向する係止片４２および突条４３の形状に対応して湾曲している。このデッキ材固定具４４を係止凹部４１に挿入し、大引３にネジ止めすることで、デッキ材４を大引３に固定できる。ここで、デッキ材固定具４４が係止片４２を大引３に押さえ付けることで、デッキ材４が大引３から離間することを防止できる。また、突条４３がデッキ材固定具４４に係合することで、隣り合うデッキ材４の間隔を一定に保ち、デッキ材４が横ずれすることを防止できる。
【００１４】
（幕板固定具）
つぎに、デッキ材４の端面に幕板５を固定する幕板固定具６を図１、図２および図３に基づき説明する。なお、図１、図２および図３は、デッキ床Ａの直交部ａにおける態様を示す。
幕板固定具６は、幕板５が取り付けられる幕板取付部材６ａと、デッキ材４の係止片４２に係止する係止部材６ｂとから構成される。
【００１５】
幕板取付部材６ａは、デッキ材４の下面に当接する下面当接板６１と、デッキ材４の端面に当接する端面当接板６２とを有している。下面当接板６１は端面当接板６２の裏面（図３における右側の面）に垂直に設けられており、下面当接板６１と端面当接板６２とで形成される直角の入隅に、デッキ材４の下面と端面との角部が嵌るように構成されている。
【００１６】
端面当接板６２の上縁および下縁には取付板６３が連接されており、これら取付板６３に幕板５がネジ止めされている。取付板６３は、端面当接板６２に対してその裏面側に段差を設けて連接されており、取付板６３の表面（図３における左側の面）が端面当接板６２の裏面と面一となっている。また、上縁側の取付板６３は左右中央部分が切除されており左右に分離している。これら上縁側の取付板６３、６３はデッキ材４の中空部４５、４５に配置され、デッキ材４の端面に干渉しないようになっている。なお、左右に分離した取付板６３、６３のうちの片方に幕板５を固定するネジがねじ込まれている。
【００１７】
下面当接板６１の下面（図３における下側の面）と下縁側の取付板６３の裏面とは、側面視略Ｌ字形の補強板６４により連接されており、この補強板６４により幕板取付部材６ａが補強されている。
【００１８】
幕板取付部材６ａは、例えばアルミ押出成形の後、切削、穿孔などの加工を施して形成される。この場合、上記下面当接板６１、端面当接板６２、取付板６３および補強板６４は一体に形成される。
【００１９】
なお、下面当接板６１および端面当接板６２は、それぞれ特許請求の範囲に記載の下面当接部および端面当接部に相当する。下面当接板６１、端面当接板６２、取付板６３および補強板６４は、それぞれ板状でなくてもよい。下面当接板６１はデッキ材４の下面に当接する面が平らであればよく、端面当接板６２はデッキ材４の端面に当接する面が平らであればよい。
【００２０】
係止部材６ｂは、円板状の係止板６５と円管状のスペーサ６６とからなる。係止板６５は、その直径が隣り合うデッキ材４の係止凹部４１、４１により形成される空間に挿入可能な寸法となっている。また、スペーサ６６は、その一端が係止板６５の裏面（図３における下側の面）の中心に接合されている。係止板６５の中心には孔が形成されており、スペーサ６６の中空部と連通して、一連の貫通孔を構成している。
【００２１】
幕板取付部材６ａの下面当接板６１にはネジ孔が形成されており、そのネジ孔に係止部材６ｂの貫通孔に通されたネジ６７をねじ込むことにより、下面当接板６１と係止部材６ｂとを締結可能となっている。この際、スペーサ６６は係止板６５と下面当接板６１の間に配置される。また、スペーサ６６は、突条４３を含む係止片４２の厚みと同じか、それよりも若干短い長さに設定されている。
【００２２】
なお、ネジ６７は特許請求の範囲に記載の「軸状の締結部材」に相当する。軸状の締結部材としては、木ネジやボルトなどのネジのほか、釘なども含まれる。すなわち、木ネジを下面当接板６１にねじ込むように構成してもよいし、ボルトとナットで下面当接板６１と係止部材６ｂとを締結してもよいし、釘を打ち込むことで下面当接板６１と係止部材６ｂとを締結してもよい。釘を用いる場合には、幕板取付部材６ａは樹脂などの釘が刺さる素材で形成される。
【００２３】
さらになお、係止板６５とスペーサ６６とは一体に形成されてもよいし、別々の部材として、それぞれにネジ６７が挿入されるように形成さてもよい。また、スペーサ６６と下面当接板６１とが一体に形成されてもよい。
【００２４】
（幕板）
つぎに、幕板５について説明する。
図３に示すように、幕板５は、デッキ材４の端面と対向する裏面（図３における右側の面）の上下中央付近に凹部５１が形成されている。そのため、幕板５をデッキ材４の端面に取り付けると、凹部５１とデッキ材４の端面との間には隙間が形成される。この隙間に、幕板取付部材６ａの端面当接板６２が収容される。この凹部５１は、幕板５の長手方向に沿って全長に渡って形成されてもよいし、幕板固定具６が取り付けられる位置にのみ形成されてもよい。なお、幕板取付部材６ａの取付板６３は、幕板５の裏面の上下（凹部５１以外の部分）に当接する。
【００２５】
幕板５の上縁および下縁には、裏面側に突出したリブ５２が形成されている。幕板５をデッキ材４の端面に取り付けると、上縁のリブ５２がデッキ材４の上面の上に重なるので、デッキ材４の上面と端面との角部を保護できるとともに、幕板５とデッキ材４との境目を目立たなくすることができる。
【００２６】
つぎに、本実施形態に係るデッキ床Ａの施工方法を説明する。
まず、束石１の上に束２を立設し、束２の上端間に大引３を架け渡し、その大引３の上にデッキ材４を敷き詰めつつ、デッキ材固定具４４でデッキ材４を大引３に固定する（図６、図７参照）。
【００２７】
つぎに、デッキ材４の端面に幕板固定具６を取り付ける。幕板固定具６は隣り合うデッキ材４の間に架け渡されて取り付けられる。ここで、幕板固定具６は、デッキ材４の間ごとに取り付けてもよいし、例えば１つ置きや２つ置きなど所定の間隔を空けて取り付けてもよい（図６参照）。
【００２８】
（直交部）
以下では、デッキ床Ａの直交部ａに幕板５を固定する場合について説明する。
図１、図２および図３に示すように、幕板固定具６は、幕板取付部材６ａと係止部材６ｂとをネジ６７で軽く締結させた状態で、係止部材６ｂを隣り合うデッキ材４の係止凹部４１に挿入しつつ、下面当接板６１をデッキ材４の下面に当接させる。そして、端面当接板６２の裏面がデッキ材４の端面に当接するまで押し込む。
【００２９】
つぎに、ネジ６７を下面当接板６１にねじ込んで係止部材６ｂと下面当接板６１とを締結する。この際、端面当接板６２がデッキ材４の端面に当接しているので、ネジ６７をねじ込んでも幕板取付部材６ａがデッキ材４に対して回転することがない。そのため、デッキ材４に対する幕板取付部材６ａの角度調整が容易であり、取り付け作業が容易である。
【００３０】
係止部材６ｂと下面当接板６１とを締結することで、係止板６５と下面当接板６１とでデッキ材４の係止片４２を挟持し、幕板固定具６をデッキ材４の端面に取り付けることができる。ここで、係止板６５と下面当接板６１との間にスペーサ６６が配置されているので、係止板６５と下面当接板６１との間の距離が規制される。そのため、ネジ６７の締結力により係止板６５が曲がったり、係止片４２が変形したりするなど、幕板固定具６やデッキ材４が損傷することを防止できる。
【００３１】
なお、係止部材６ｂは係止凹部４１に挿入されるので、ネジ６７は隣り合うデッキ材４の間に位置する。そのため、隣り合うデッキ材４の間からドライバーを挿入して、ネジ６７を締め付けることができ、締め付け作業が容易である。
【００３２】
デッキ材４の端面に幕板固定具６を取り付けた後、幕板固定具６に幕板５をネジ止めする。
図３に示すように、幕板固定具６をデッキ材４に取り付けると、端面当接板６２がデッキ材４の端面からその厚さ分だけ突出する。しかし、幕板５の裏面には凹部５１が形成されており、この凹部５１に端面当接板６２が収容される。そのため、幕板５が端面当接板６２によりデッキ材４の端面から離間することなく、デッキ材４の端面に対して隙間なく固定することができる。
【００３３】
なお、取付板６３の表面は端面当接板６２の裏面と面一となっているため、幕板固定具６をデッキ材４に取り付けると、取付板６３の表面とデッキ材４の端面とが面一となる。そのため、取付板６３が幕板５の凹部５１以外の上下部分に当接したとしても、幕板５がデッキ材４の端面から離間することなく、デッキ材４の端面に対して隙間なく固定することができる。
【００３４】
（傾斜部または湾曲部）
つぎに、デッキ床Ａの傾斜部ｂまたは湾曲部ｃに幕板５を固定する場合について説明する。
なお、湾曲部ｃでは複数本のデッキ材４の端面が徐々に角度を変えて切断されているため、幕板固定具６の取り付け部分のみに注目すると、デッキ材４の端面が傾斜しているという点で条件が一致する。そのため、傾斜部ｂの場合と湾曲部ｃの場合とでは、作業手順も同様である。
【００３５】
図４および図５に示すように、幕板固定具６は、幕板取付部材６ａと係止部材６ｂとをネジ６７で軽く締結させた状態で、係止部材６ｂを隣り合うデッキ材４の係止凹部４１に挿入しつつ、下面当接板６１をデッキ材４の下面に当接させる。そして、端面当接板６２の裏面がデッキ材４の端面に当接するまで押し込む。ここで、デッキ材４の端面は長手方向に対して斜めに切断されているが、端面当接板６２がデッキ材４の端面に当接することで、端面当接板６２がデッキ材４の端面と平行になるように、幕板固定具６のデッキ材４に対する角度が自然に調整される。また、下面当接板６１と係止部材６ｂとは、軸状の締結部材であるネジ６７で締結されるため、幕板取付部材６ａをデッキ材４に対して任意の角度で固定できる。
【００３６】
つぎに、ネジ６７を下面当接板６１にねじ込んで係止部材６ｂと下面当接板６１とを締結する。ここで、係止板６５が円板状であるので、幕板取付部材６ａがデッキ材４の長手方向に対して斜めに固定される場合でも、係止板６５が係止凹部４１や端面当接板６２と干渉することがない。また、係止板６５が円板状であるので係止片４２との接触面積を確保でき、係止板６５と係止片４２との摩擦力により、幕板固定具６を強固に固定できる。
【００３７】
図５に示すように、デッキ材４の端面が傾斜している（図５における左側が紙面手前側に、右側が紙面奥側に傾斜している）場合、幕板取付部材６ａは一方のデッキ材４（図５における右側のデッキ材４）に偏って取り付けられる。これは、幕板固定具６がネジ６７を中心に回転（図４における反時計周りに回転）した状態で固定されることから、その回転方向（図５における右方向）に幕板取付部材６ａが偏るためである。このように、幕板取付部材６ａが一方のデッキ材４に偏ると、上縁側の取付板６３のうちの一方が、デッキ材４の端面と干渉する場合がある。このような場合には、予め干渉する方の取付板６３を切除しておけばよい。
【００３８】
デッキ材４の端面に幕板固定具６を取り付けた後、幕板固定具６に幕板５をネジ止めする。上縁側の取付板６３のうちの一方を切除した場合には、他方の取付板６３に幕板５がネジ止めされる。
以上のように、デッキ材４の端面が湾曲、斜めに形成されていても、幕板５を端面に沿って固定することができる。
【００３９】
（第２実施形態）
図８に示すように、本発明の第２実施形態においては、幕板固定具６の幕板取付部材６ａ’が上下対称に形成されている。より詳細には、幕板取付部材６ａ’は２枚の下面当接板６１、６１を有しており、それら２枚の下面当接板６１、６１は端面当接板６２の裏面に垂直に設けられている。２枚の下面当接板６１、６１は、それぞれネジ穴が形成されており、係止部材６ｂをいずれの下面当接板６１、６１にも締結できるように構成されている。また、端面当接板６２の上縁および下縁には、取付板６３、６３が連接されている。これら取付板６３、６３は、端面当接板６２の一方の側部（図８（ａ）の右側）に偏って設けられている。
【００４０】
図９に示すように、本実施形態の幕板固定具６は、デッキ材４の端面が傾斜して、幕板取付部材６ａ’が一方のデッキ材４に偏って取り付けられる場合でも、取付板６３が端面当接板６２の一方の側部に偏って設けられているので、取付板６３がデッキ材４の端面に干渉することがない。
【００４１】
より詳細には、図９（ａ）に示すように、デッキ材４の端面が図９（ａ）における左側が紙面手前側に、右側が紙面奥側に傾斜している場合には、幕板取付部材６ａ’が右側のデッキ材４に偏って取り付けられる。この場合、幕板取付部材６ａ’を取付板６３が右側に配置される姿勢にすればよい。一方、図９（ｂ）に示すように、デッキ材４の端面が図９（ｂ）における右側が紙面手前側に、左側が紙面奥側に傾斜している場合には、幕板取付部材６ａ’が左側のデッキ材４に偏って取り付けられる。この場合、幕板取付部材６ａ’を上下反転させて取付板６３が左側に配置される姿勢にすればよい。
【００４２】
このように、幕板取付部材６ａ’の上下を反転させるだけで、デッキ材４の端面がどのような傾斜であっても、取付板６３がデッキ材４の端面と干渉しないようにすることができる。そのため、取付板６３を切除する必要がなく、幕板固定具６’の取り付け作業がより容易になる。
【００４３】
なお、幕板取付部材６ａ’は、２枚の下面当接板６１、６１のうち、上側に位置する下面当接板６１がデッキ材４の下面に当接し、係止部材６ｂがネジ６７で締結される。
【符号の説明】
【００４４】
Ａ    デッキ床
４    デッキ材
４１  係止凹部
４２  係止片
４３  突条
５    幕板
５１  凹部
５２  リブ
６    幕板固定具
６ａ  幕板取付部材
６１  下面当接板
６２  端面当接板
６３  取付板
６４  補強板
６ｂ  係止部材
６５  係止板
６６  スペーサ
６７  ネジ
【図１】
2014066009.tif 000003
【図２】
2014066009.tif 000004
【図３】
2014066009.tif 000005
【図４】
2014066009.tif 000006
【図５】
2014066009.tif 000007
【図６】
2014066009.tif 000008
【図７】
2014066009.tif 000009
【図８】
2014066009.tif 000010
【図９】
2014066009.tif 000011